【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
タービン動翼の寿命を評価する方法であって、
前記タービン動翼のクリープ伸びを計測して余寿命を評価する
ことを特徴とするタービン動翼寿命評価方法。
【請求項２】
請求項１に記載のタービン動翼寿命評価方法において、
前記タービン動翼の長手方向におけるクリープ伸び歪が、
初期長さの０．５％未満である場合には、寿命範囲内であると評価し、
初期長さの０．５％以上である場合には、寿命を超えたと評価する
ことを特徴とするタービン動翼寿命評価方法。
【請求項３】
タービン動翼のクリープ伸び歪を測定する装置であって、
前記タービン動翼の一端側に取り付けられる第１固定端と、他端側に取り付けられる第２固定端と、これら第１固定端及び第２固定端間の間隔寸法、もしくは所定の基準寸法に対する寸法変化を測定する測定器とを備えている
ことを特徴とするタービン動翼クリープ伸び歪測定装置。
【請求項４】
請求項３に記載のタービン動翼クリープ伸び歪測定装置において、
前記測定器は、前記第１固定端及び前記第２固定端間を連結し、これら第１固定端及び第２固定端間の間隔を狭める方向に付勢する連結部に備えられ、
該連結部の伸び寸法を測定することにより、前記タービン動翼のクリープ伸び歪を測定する
ことを特徴とするタービン動翼クリープ伸び歪測定装置。
【請求項５】
タービンに備えられているタービン動翼であって、
稼働前の初期状態における長手方向寸法が、刻印されていることを特徴とするタービン動翼。
【請求項６】
請求項１または請求項２に記載のタービン動翼寿命評価方法において、
前記タービン動翼の計測時に温度補正を行うことを特徴とするタービン動翼寿命評価方法。
【請求項７】
請求項３または請求項４に記載のタービン動翼クリープ伸び歪測定装置において、
前記タービン動翼の計測時に温度補正を行うことを特徴とするタービン動翼クリープ伸び歪測定装置。
【手続補正２】
【補正対象書類名】明細書
【補正対象項目名】０００７
【補正方法】変更
【補正の内容】
【０００７】
本発明は、上記課題を解決するために以下の手段を採用した。
すなわち、請求項１に記載のタービン動翼寿命評価方法は、タービン動翼の寿命を評価する方法であって、前記タービン動翼のクリープ伸びを計測して余寿命を評価することを特徴とする。
上記請求項1に記載のタービン動翼寿命評価方法によれば、タービン動翼の寿命を定量的に評価することができる。
請求項２に記載のタービン動翼寿命評価方法は、請求項１に記載のタービン動翼寿命評価方法において、前記タービン動翼の長手方向におけるクリープ伸び歪が、初期長さの０．５％未満である場合には、寿命範囲内であると評価し、初期長さの０．５％以上である場合には、寿命を超えたと評価することを特徴とする。
上記請求項２に記載のタービン動翼寿命評価方法によれば、一般的なタービン動翼は、クリープ伸び歪が２％を超えた点から急激に強度が低下して破断へと向かうので、この２％よりも十分に低い０．５％のクリープ伸び歪を寿命評価の基準として採用することにより、タービン動翼がクリープ欠損を起こさない寿命設定を、確実に行うことができるようになる。
【手続補正３】
【補正対象書類名】明細書
【補正対象項目名】０００８
【補正方法】変更
【補正の内容】
【０００８】
請求項３に記載のタービン動翼クリープ伸び歪測定装置は、タービン動翼のクリープ伸び歪を測定する装置であって、前記タービン動翼の一端側に取り付けられる第１固定端と、他端側に取り付けられる第２固定端と、これら第１固定端及び第２固定端間の間隔寸法、もしくは所定の基準寸法に対する寸法変化を測定する測定器とを備えていることを特徴とする。
上記請求項３に記載のタービン動翼クリープ伸び歪測定装置によれば、タービン動翼の一端側に第１固定端を取り付け、さらに他端側に第２固定端を取り付けた状態で、稼働前の、クリープ伸び歪が生じていない初期状態におけるタービン動翼の長さを予め測定しておく。そして、所定時間運転した後のタービン動翼の長さを同様に測定し、この測定結果と、先の初期状態における測定結果との差を求めることにより、所定時間運転後のクリープ伸び歪を正確に求めることができる。
【手続補正４】
【補正対象書類名】明細書
【補正対象項目名】０００９
【補正方法】変更
【補正の内容】
【０００９】
請求項４に記載のタービン動翼クリープ伸び歪測定装置は、請求項３に記載のタービン動翼クリープ伸び歪測定装置において、前記測定器が、前記第１固定端及び前記第２固定端間を連結し、これら第１固定端及び第２固定端間の間隔を狭める方向に付勢する連結部に備えられ、該連結部の伸び寸法を測定することにより、前記タービン動翼のクリープ伸び歪を測定することを特徴とする。
上記請求項４に記載のタービン動翼クリープ伸び歪測定装置によれば、タービン動翼の一端側に第１固定端を取り付け、さらに他端側に第２固定端を取り付けるだけで、連結部が、これら第１固定端及び第２固定端間の間隔を狭めて最短距離となるように自動的に設定する。
【手続補正５】
【補正対象書類名】明細書
【補正対象項目名】００１０
【補正方法】変更
【補正の内容】
【００１０】
請求項５に記載のタービン動翼は、タービンに備えられているタービン動翼であって、稼働前の初期状態における長手方向寸法が、刻印されていることを特徴とする。
上記請求項５に記載のタービン動翼によれば、多数枚あるタービン動翼のうちの任意のものの長手方向寸法を、図面等の記録を参照するなどの手間を要せずに確認することができる。
【手続補正６】
【補正対象書類名】明細書
【補正対象項目名】００１１
【補正方法】変更
【補正の内容】
【００１１】
請求項６に記載のタービン動翼寿命評価方法は、請求項１または請求項２に記載のタービン動翼寿命評価方法において、前記タービン動翼の計測時に温度補正を行うことを特徴とする。
請求項７に記載のタービン動翼クリープ伸び歪測定装置は、請求項３または請求項４に記載のタービン動翼クリープ伸び歪測定装置において、該タービン動翼クリープ伸び歪測定装置が、前記タービン動翼の計測時に温度補正を行うことを特徴とする。
【手続補正７】
【補正対象書類名】明細書
【補正対象項目名】００１２
【補正方法】変更
【補正の内容】
【００１２】
本発明の請求項１に記載のタービン動翼寿命評価方法によれば、タービン動翼のクリープ伸びを計測して余寿命を評価することができ、タービン動翼が、突然、クリープ欠損を起こすことを防止できる。
本発明の請求項２に記載のタービン動翼寿命評価方法によれば、タービン動翼の寿命を定量的に評価することができる。これにより、タービン動翼が、突然、クリープ欠損を起こしてガスタービン全体に大きなダメージをもたらすといった問題を、未然に防止することが可能となる。
【手続補正８】
【補正対象書類名】明細書
【補正対象項目名】００１３
【補正方法】変更
【補正の内容】
【００１３】
また、請求項３に記載のタービン動翼クリープ伸び歪測定装置によれば、稼働前のタービン動翼の長さに対する伸びを、このタービン動翼クリープ伸び歪測定装置を用いて測定することにより、クリープ伸び歪を求めることができる。そして、このクリープ伸び歪に基づいて、定量的に寿命を評価または予測することが可能となる。
【手続補正９】
【補正対象書類名】明細書
【補正対象項目名】００１４
【補正方法】変更
【補正の内容】
【００１４】
また、請求項４に記載のタービン動翼クリープ伸び歪測定装置によれば、連結部が、第１固定端及び第２固定端間の間隔寸法を、最短となるように自動的に設定するので、作業者によってクリープ伸び歪の測定結果にばらつきが生じるのを防止することが可能となる。
【手続補正１０】
【補正対象書類名】明細書
【補正対象項目名】００１５
【補正方法】変更
【補正の内容】
【００１５】
また、請求項５に記載のタービン動翼によれば、任意のタービン動翼の長さ寸法を、図面等の記録を参照するなどの手間を要することなく即座に確認することができるので、このタービン動翼の寿命評価を行うべく、クリープ伸び歪を測定する際の手間を、極めて削減することが可能となる。しかも、確認したいタービン動翼そのものに刻印されているので、品番の確認間違いによる作業ミスなどを未然に防止することも可能となっている。
【手続補正１１】
【補正対象書類名】明細書
【補正対象項目名】００１６
【補正方法】変更
【補正の内容】
【００１６】
また、請求項６に記載のタービン動翼寿命評価方法によれば、タービン動翼の計測時に温度補正を行うので、さらに高精度な結果が得ることが可能となる。
また、請求項７に記載のタービン動翼クリープ伸び歪測定装置によれば、タービン動翼の計測時に温度補正を行うので、さらに高精度な結果が得ることが可能となる。